(57)【特許請求の範囲】
【請求項１】
それぞれ光伝送路を収容する現用／予備用の一対のインタフェースユニットと、
前記一対のインタフェースユニットから出力される光信号の何れかを選択して出力する分岐挿入ユニットを有し、
さらに、前記一対のインタフェースユニットのそれぞれは、切替コントローラを備え、且つ前記一対のインタフェースユニット間は、前記切替コントローラ間で状態情報を共有するための通信パスを通して接続され、
前記一対のインタフェースユニットの現用側のインタフェースユニットに障害を生じた際に、切替え対象である予備側のインタフェースユニットに前記通信パスを通して障害を通知し、前記予備側のインタフェースユニットから前記分岐挿入ユニットに切替え要求を送る
ことを特徴とする光伝送装置。
【請求項２】
請求項１において、
前記分岐挿入ユニットは、前記現用／予備の一対のインタフェースユニットの何れか一方の出力を有効とするセレクタであることを特徴とする光伝送装置。
【請求項３】
請求項２において、
さらに前記分岐挿入ユニットは前記一対のインタフェースユニットの現用側のインタフェースユニットの出力を優先に設定する優先回路を有し、
前記現用／予備用の一対のインタフェースユニットの双方から切替え要求が送られる時、前記優先に設定された現用側のインタフェースユニットからの切替え要求を有効とすることを特徴とする光伝送装置。
【請求項４】
複数（ｎ＋１）の光伝送路のそれぞれを収容する（ｎ＋１）個のインタフェースユニットと、
前記（ｎ＋１）個のインタフェースユニットの内のｎ個の現用のインタフェースユニットから出力される光信号を出力する分岐挿入ユニットを有し、
さらに、前記（ｎ＋１）個のインタフェースユニットの各々は、切替コントローラを備え、且つ前記（ｎ＋１）個のインタフェースユニットは、前記切替コントローラ間で状態情報を共有するための通信パスを通して接続され、
前記（ｎ＋１）個のインタフェースユニットの内の現用のインタフェースユニットに障害を生じた際に、切替え対象とする予備用の一のインタフェースユニットに前記通信パスを通して障害を通知し、前記予備用の一のインタフェースユニットから前記分岐挿入ユニットに切替え要求を送る
ことを特徴とする光伝送装置。
【請求項５】
それぞれリング状の光伝送路を収容する一対のインタフェースユニットと，前記一対のインタフェースユニットの一方から出力される光信号を他方に折り返す切替ユニットを，前記一対のインタフェースユニットに対応して備えた分岐挿入ユニットを有し，
さらに，前記一対のインタフェースユニットのそれぞれは，切替コントローラを備え，且つ前記一対のインタフェースユニット間は，前記切替コントローラ間で状態情報を共有するための通信パスを通して接続され，
前記一対のインタフェースユニットの一方側のインタフェースユニットに障害を生じた際に，切替え対象である他方側のインタフェースユニットに前記通信パスを通して障害を通知し，更に前記他方のインタフェースユニットに折り返す切り換え要求を前記分岐挿入ユニットに送る
ことを特徴とする光伝送装置。
【発明の詳細な説明】
【０００１】
【産業上の利用分野】
本発明は、光伝送路の切替え制御に特徴を有する光伝送装置に関する。
【０００２】
【従来の技術】
光伝送装置は、伝送路を冗長構成として稼働率を上げている。冗長構成の例を図１〜図３に示す。
【０００３】
図１は、現用／予備を１：１で切替を行う光伝送路の切替え制御を採用する光伝送装置の構成例である。光伝送装置は、複数の光伝送路１、２〜ｎを対応するインタフェースユニットＩＦ１、ＩＦ２〜ＩＦｎを介して挿入分岐ユニット（以下、ＡＤＭユニットと称す）１０に収容する。
【０００４】
インタフェースユニットＩＦ１、ＩＦ２〜ＩＦｎは、それぞれ現用Ｗと予備Ｐ系伝送路を一対として収容するように一組のインタフェースユニットＩＦ１−１，ＩＦ１−２を有して構成される。
【０００５】
光伝送装置は、更に装置監視制御部２０を有する。この装置監視制御部２０内には切替コントローラ２１を有し、他の光伝送装置との間での警報信号（ＡＰＳ）がインタフェースユニットＩＦ１、ＩＦ２〜ＩＦｎを通して送受されるとともに、インタフェースユニットＩＦ１、ＩＦ２〜ＩＦｎからの線路障害あるいは、インタフェースユニットＩＦにおける送受信部でのハードウエア障害が検知される時に切替トリガー信号ＳＷＴＲＧを受信する。
【０００６】
一方、ＡＤＭユニット１０には複数の光伝送路１、２〜ｎに対応して現用／予備の切替えのための切替ユニット（ここでは、１つのインタフェースユニットに関して、現用から予備に選択切替えを行うセレクタ）１１−１〜１１−ｎを有している。
【０００７】
そして、切替ユニット１１−１〜１１−ｎは、インタフェースユニットＩＦ１、ＩＦ２〜ＩＦｎからの切替トリガー信号ＳＷＴＲＧに基づき生成されるコントローラ２１からの切替コマンドＳＷＣＭＤに応じて、現用／予備用伝送路に対応するインタフェースユニットの切替えを行う。
【０００８】
図２は、現用／予備を１：Ｎで切替えを行う光伝送路の切替え制御を採用する光伝送装置の構成例である。この構成例では、複数（ｎ＋１）の光伝送路の内の１伝送路が予備となり、現用中に障害を生じた伝送路から切替えられる。
【０００９】
このために、ＡＤＭユニット１０は１個の切替ユニット（この例では、障害となった現用インタフェースから１つの予備用インタフェースに切り替えるセレクタ）１１を有し、切替コントローラ２１からの切替コマンドＳＷＣＭＤに応じて、現用／予備用伝送路に対応するインタフェースユニットの切替えを行う。
【００１０】
図３は、リング状の伝送路に配置された従来構成のＢＬＳＲ（Bi- directional line switch）切替え構成を示す。ＡＤＭユニット１０における、複数の伝送路のそれぞれに対して１組の切替ユニット（ここでは、ブリッジ若しくは切替を行う回路）１１−１、１１−２・・・１１−ｎを装置監視制御部２０の切替コントローラ２１が、インタフェースユニットＩＦ１、ＩＦ２〜ＩＦｎからの切替トリガー信号ＳＷＴＲＧに基づき制御する。
【００１１】
【発明が解決しようとする課題】
上記のような従来構成の冗長制御システムにあっては、ＡＤＭユニット１０に置かれる切替ユニット１１，１１−１〜１１−ｎとは、別個に独立した制御ユニットとしての切替コントローラ２１が必要である。したがって、切替コントローラ２１のためのスペースを確保することが必要である。
【００１２】
また、上記の切替ユニット１１−１〜１１−ｎのペア数が大きくなると、性能の観点から制御ユニット２１を分割する必要が生じる。このために更にスペースを要することになる。
【００１３】
したがって、切替ユニットとは別個に独立した制御ユニット２１を伝送路対応に個々に保持させることが想定されるが、個々に保持される制御ユニット自身が障害となる場合、正常に予備側に切替えが行われる保証がない。また、切替える際に事前に予備側が正常であることの状態評価が必要である。
【００１４】
かかる点に鑑みて、本発明の目的は、共通部である装置監視制御部からのスペースを減らすことを可能とし、切替え性能を充分に引き出すことが可能であり、大規模システムを可能とする光伝送路の切替え制御機能を有する光伝送装置を提供することにある。
【００１５】
【課題を解決するための手段】
上記の課題を達成する本発明に従う光伝送装置は、第１に態様として、それぞれ光伝送路を収容する現用／予備用の一対のインタフェースユニットと、前記一対のインタフェースユニットから出力される光信号の何れかを選択して出力する分岐挿入ユニットを有し、さらに、前記一対のインタフェースユニットのそれぞれは、切替コントローラを備え、且つ前記一対のインタフェースユニット間は、前記切替コントローラ間で状態情報を共有するための通信パスを通して接続され、前記一対のインタフェースユニットの現用側のインタフェースユニットに障害を生じた際に、切替え対象である予備側のインタフェースユニットに前記通信パスを通して障害を通知し、前記予備側のインタフェースユニットから前記分岐挿入ユニットに切替え要求を送ることを特徴とする。
【００１６】
さらに、上記の課題を達成する本発明に従う光伝送装置は、第２の態様として、  第１の態様において、前記分岐挿入ユニットは、前記現用／予備の一対のインタフェースユニットの何れか一方の出力を有効とするセレクタであることを特徴とする。
【００１７】
また、上記の課題を達成する本発明に従う光伝送装置は、第３の態様として、第２の態様において、さらに前記分岐挿入ユニットは前記一対のインタフェースユニットの現用側のインタフェースユニットの出力を優先に設定する優先回路を有し、前記現用／予備用の一対のインタフェースユニットの双方から切替え要求が送られる時、前記優先に設定された現用側のインタフェースユニットからの切替え要求を有効とすることを特徴とする。
【００１８】
さらにまた、上記の課題を達成する本発明に従う光伝送装置は、第４の態様として、複数（ｎ＋１）の光伝送路のそれぞれを収容する（ｎ＋１）個のインタフェースユニットと、前記（ｎ＋１）個のインタフェースユニットの内のｎ個の現用のインタフェースユニットから出力される光信号を出力する分岐挿入ユニットを有し、さらに、前記（ｎ＋１）個のインタフェースユニットの各々は、切替コントローラを備え、且つ前記（ｎ＋１）個のインタフェースユニットは、前記切替コントローラ間で状態情報を共有するための通信パスを通して接続され、前記（ｎ＋１）個のインタフェースユニットの内の現用のインタフェースユニットに障害を生じた際に、切替え対象とする予備用の一のインタフェースユニットに前記通信パスを通して障害を通知し、前記予備用の一のインタフェースユニットから前記分岐挿入ユニットに切替え要求を送ることを特徴とする。
【００１９】
さらに、上記の課題を達成する本発明に従う光伝送装置は、第５の態様として、最４の態様において、前記分岐挿入ユニットは、前記障害を生じた現用側のインタフェースユニットの出力に代えて、切替対象とする予備用の一のインタフェースユニットの出力を有効とするセレクタであることを特徴とする。
【００２０】
また、上記の課題を達成する本発明に従う光伝送装置は、第６の態様として、第５の態様において、さらに前記分岐挿入ユニットは、前記（ｎ＋１）個のインタフェースユニットの予備用となるインタフェースユニットの出力の優先度を最下位にし、他の現用のｎ個のインタフェースユニットの出力を順次優先度を付けて設定する優先回路を有し、前記優先回路に設定された優先度の順に、インタフェースユニットからの切替要求に対し、前記予備用となるインタフェースユニットの出力へ切り替えを有効とすることを特徴とする。
【００２１】
さらに、上記の課題を達成する本発明に従う光伝送装置は、第７の態様として、
それぞれリング状の光伝送路を収容する一対のインタフェースユニットと、前記一対のインタフェースユニットの一方から出力される光信号を他方に折り返し、又は他方にブリッジする切替ユニットを前記一対のインタフェースユニット対応して備えた分岐挿入ユニットを有し、さらに、前記一対のインタフェースユニットのそれぞれは、切替コントローラを備え、且つ前記一対のインタフェースユニット間は、前記切替コントローラ間で状態情報を共有するための通信パスを通して接続され、前記一対のインタフェースユニットの一方側のインタフェースユニットに障害を生じた際に、切替え対象である他方側のインタフェースユニットに前記通信パスを通して障害を通知し、更に前記他方のインタフェースユニットに折り返し、又はブリッジする切替え要求を前記分岐挿入ユニットに送ることを特徴とする。
【００２２】
本発明の特徴は、更に図面に従い説明する発明の実施の形態から明らかになる。
【００２３】
【発明の実施の形態】
図４は、図１の１：１冗長構成に対応し、本発明を適用する実施の形態例である。図４では、理解を容易とするべく現用と予備の１組の伝送路１−１，１−２に対応する構成のみを示している。
【００２４】
１組の伝送路１−１，１−２の各々に対応する１組のインタフェースユニットＩＦ１−１、ＩＦ１−２の各々に切替えコントローラ２１−１，２１−２が内蔵されている。これらの切替えコントローラ２１−１，２１−２間で情報を共有するために情報の送受を行う。
【００２５】
ＡＤＭユニット１０には１組の伝送路１−１，１−２に対応して、切替ユニット１１を有する。この切替ユニット１１は、切替えコントローラ２１−１，２１−２からの切替えコマンド（ＳＷＣＭＤ）に基づきインタフェースユニットＩＦ１−１，ＩＤＦ１−２の出力を切替え、現用と予備の回線切替えが行われる。
【００２６】
ここで、回線切替えのために要する時間は、規格により５０ｍｓ以内とすることが要求される。上記図１の構成では、切替え対象が、それぞれの切替ユニット１１において現用及び予備の１組の回線に固定されているので規定の切替え時間５０ｍｓ内に切替えを行うことが常に可能である。また、ユニットに複数の回線が収容された場合でも、システムで集線される回線数に比較して少なく、切替えコントローラが壊れた時の切替え不能となる回線の対象が少なく済む。
【００２７】
図５は、図２の１：Ｎ冗長構成に対応し、本発明を適用する実施の形態例である。図５において、（１＋ｎ）個のインタフェースユニットＩＦ１〜ＩＦ（１＋ｎ）の各々に対応する切替えコントローラ２１が内蔵されている。
【００２８】
この構成においても各インタフェースユニットＩＦ１〜ＩＦ（１＋ｎ）間で情報を共有するために相互に情報の送受を行う。かかる図５に示す構成においても、切替ユニット１１による切替えは、１：Ｎの組に対し、常に固定または１個のインタフェースあたりの線路数が十分小さいので、現用と予備用間でのインタフェース出力の切替えは、規定の切替え時間５０ｍｓ内で行うことが可能である。
【００２９】
図６は、図３のＢＬＳＲ構成に対応する本発明を適用する発明の実施の形態例である。図６において、理解を容易とするべく現用と予備の１組の二重化伝送路１−１，１−２に対応する構成のみを示している。１組の二重化伝送路１−１，１−２の各々に対応する１組のインタフェースユニットＩＦ１−１、ＩＦ１−２の各々に切替えコントローラ２１−１，２１−２が内蔵され、これらの間で情報を共通にするための通信を行う。
【００３０】
ＡＤＭユニット１０には１組の二重化伝送路１−１，１−２に対応するように、切替ユニット１１を有する。インタフェースユニットＩＦ１−１、ＩＦ１−２の切替えコントローラ２１−１，２１−２からの切替コマンド（ＳＷＣＭＦＤ）に基づき、切替ユニット１２により障害を生じた二重化伝送路１−１，１−２の一方の伝送路を他方の伝送路に折り返す様に切替えられる。これにより通信の継続が確保される。
【００３１】
かかるＢＬＳＲ構成においても、制御するＢＬＳＲペアとなる二重化伝送路―１，１−２は常に固定または1ユニットあたりの線路数は十分小さい数なので、規定の切替え時間５０ｍｓのクリアが常に可能である。
【００３２】
図７は、上記の図４〜図６の本発明に従う実施の形態例を実現する伝送装置の詳細構成例を示すブロック図である。図では、簡単化のためにＡＤＭユニット１０と、組となるインタフェースユニットＩＦ１及びインタフェースユニットＩＦ２のみを示し、それらの構成は同様である。インタフェースユニットＩＦ１及びＩＦ２は、メイン信号処理部３０と切替コントローラ２１を有する。
【００３３】
メイン信号処理部３は、信号送受信回路３０１，フレーム及びラインエラー検出回路部３０２、オーバヘッド挿入分岐回路３０３及びポインタ制御回路３０４を有する。
【００３４】
フレーム及びラインエラー検出回路部３０２において、信号誤りＳＦ及びラインエラーによる信号品質劣化ＳＤを検知出力する。オーバヘッド挿入分岐回路３０３は、信号のオーバヘッド部のＫ１／Ｋ２バイトからＡＰＳ状態を検知出力する。
【００３５】
切替コントローラ２１は、状態制御を行うＣＰＵ２１０と、組となるインタフェースユニットＩＦ１，ＩＦ２間での信号授受を行うためのシリアル信号インタフェース２１１を有する。さらに、ファームウエアに２１２によりＣＰＵ２１０を制御して本発明の現用／予備切替動作が実行される。
【００３６】
一方、ＡＤＭユニット１０には、切替ユニット（信号セレクタ／ブリッジ／切替回路）１１、方路選択回路１２及び優先回路１３を有する。
【００３７】
かかる構成において、以下に動作を説明するが、理解を容易とするべく図８に図７の詳細構成を簡略して示す。図８において、図７に示した機能に対応するブロックには図７と同じ参照番号を付してある。図９は、図７（図８）の動作フローである。また、図１０は、本発明を実現するための制御信号のフレーム構成を示す図である。以下にこれらを参照して本発明の切替え動作を説明する。
【００３８】
図９において、１：１の冗長構成を想定して説明する。
【００３９】
通常時、一組のインタフェースユニットＩＦ１，ＩＦ２では、シリアル信号インタフェース回路２１１を通して互いに正常状態を通知し合う（処理工程Ｐ１，Ｐ２）。
【００４０】
ここで、相互のインタフェース間の通信及び、ＡＤＭユニット１０に対する切替コマンドに用いられる信号フォーマットは、一例として図１０に示す如くに構成される。フレーム信号（ａ）として、フレーム同期信号I、フレーム番号II、例えば２４ビットのデータIII及びパリティビットIVを有する。
【００４１】
この過程で、一方のインタフェースユニットＩＦ１において、フレーム及びラインエラー検出回路部３０２により信号誤りＳＦ及びラインエラーによる信号品質劣化ＳＤを検知出力する（Ａ１）と、ＣＰＵ２１０においてＡＰＳ（Automatic Protection Switching：自動切替）プロトコルが更新され、信号誤り（ＳＦ）通知がシリアル信号インタフェース回路２１１を通して他方のインタフェースユニットＩＦ２に通知される（処理工程Ｐ３）。
【００４２】
この信号誤り（ＳＦ）通知（ｂ）は、上記のフレーム信号（ａ）におけるデータIIIを図１０（ｂ）の様に構成して行われる。すなわち、図１０（ｂ）ので０他IIIの構成において、ＳＦは信号誤り、ＳＤは信号品質低下、ＥＱＰＴは装置障害、ＴＨＲはＢＬＳＲ時専用に使用され、信号のパス／非パスの通知、ＲＣＶＫ１は相手側装置からの状態通知、ＲＣＶＫ２は相手側装置切替え状態示す自装置送信Ｋ１に対する応答信号である。なお、上記信号フォーマット（ｂ）のＴＨＲは、ＢＬＳＲ時に有効である。
【００４３】
他方のインタフェースユニットＩＦ２は、インタフェースユニットＩＦ１からの信号障害通知（処理工程Ｐ３）に基づきＡＰＳを更新し、予備側から現用側に状態を遷移する（処理工程Ｐ４）。
【００４４】
この時、インタフェースユニットＩＦ２は、インタフェースユニットＩＦ１側に正常である旨の通知を行う（処理工程Ｐ５）。さらに、インタフェースユニットＩＦ１からインタフェースユニットＩＦ２への切替え要求をインタフェースユニットＩＦ２からＡＤＭユニット１０に通知する（処理工程Ｐ６）。
【００４５】
この時の切替え要求は、図１０（ａ）のフレーム信号のデータIIIを図１０（ｃ）に示すフォーマットにより構成する。図１０（ｃ）の信号フォーマットにおいて、ＳＥＬ０，ＳＥＬ１は、１：１又は１：Ｎ冗長構成において使用される切替コマンドであり、ＳＥＬ０，ＳＥＬ１のいずれかが有効とされ、対応する側のインタフェースユニットがＡＤＭユニット１０において選択される。また、図１０（ｃ）の信号フォーマットにおいて、ＢＲ１，ＢＲ０，ＳＷ０，ＳＷ１は、図６のＢＬＳＲ構成において使用されるフラグである。
【００４６】
図９に戻り説明する。インタフェースユニットＩＦ１は、インタフェースユニットＩＦ２から正常通知（処理工程Ｐ５）を受けると、自らは切替要求は出さない様にバッファアンプ２１３を含むコマンドラインをディスエーブルする。
【００４７】
したがって、ＡＤＭユニット１の切替ユニット１１は、インタフェースユニットＩＦ２からの、図１０（ｃ）の信号フォーマットによる切替え要求（処理工程Ｐ６）に基づき、インタフェースユニットＩＦ１からインタフェースユニットＩＦ２の出力を有効とする様に切替ユニット１１を制御する（Ａ２）。
【００４８】
ここで、上記の切替え完了（Ａ２）により、図９において、現用側となっているインタフェースユニットＩＦ２に装置障害が発生した場合を想定する（Ａ３）。装置障害は、図７において、メイン信号処理回路３０の装置障害検出器３０５及び切替コントローラ２１の装置障害検出器２１４により検知される。
【００４９】
この時、インタフェースユニットＩＦ２は、ＡＰＳを更新し、予備用に状態を遷移し（処理工程Ｐ７）、装置障害通知を装置監視制御部２０を経由して切替先のインタフェースユニットＩＦ１に送る（処理工程Ｐ８）。ＩＦ２の切替えコントローラが故障した場合でも、ＩＦ２は自分の状態を遷移することはできないが、装置障害通知を切替え先のインタフェースユニットＩＦ１に送り、切替えを達成することが可能である。
【００５０】
これに基づきインタフェースユニットＩＦ１は、ＡＰＳを更新し、状態を現用側に遷移し（処理工程Ｐ９）、ＡＤＭユニット１０に対して、インタフェースユニットＩＦ２からインタフェースユニットＩＦ１への切替えを要求する（処理工程Ｐ１０）。
【００５１】
これに対し、ＡＤＭユニット１０では優先回路１３において、インタフェースユニットＩＦ１からの切替え要求に対する優先度を高くしておくことにより、インタフェースユニットＩＦ２からの切替え要求の有無に関わらず、出力を有効とする側をインタフェースユニットＩＦ２からインタフェースユニットＩＦ１に切替える様に、切替ユニット１１を制御する（Ａ４）。この優先回路があるため、ＩＦ２の切替えコントローラが故障して不定コマンドを送ってきた場合でもＩＦ１からのコマンドを優先するため切替え誤動作が発生することがない。
【００５２】
さらに、図９において、インタフェースユニットＩＦ２の装置障害が復旧する（Ａ４）と、インタフェースユニットＩＦ２は、ＡＰＳを更新し、状態を現用側に遷移し（処理工程Ｐ１１）、正常通知をインタフェースユニットＩＦ１に送る（処理工程Ｐ１２）。
【００５３】
インタフェースユニットＩＦ１は、インタフェースユニットＩＦ２からの正常通知を受けると、ＡＰＳを更新し、状態を予備側に遷移する（処理工程Ｐ１３）。  この時、インタフェースユニットＩＦ２から正常通知を受けたので、インタフェースユニットＩＦ１からは切替え要求は出されない。
【００５４】
一方、インタフェースユニットＩＦ１においてＳＦが発生した状態のままであるので、ＳＦ通知（処理工程Ｐ３）がインタフェースユニットＩＦ２に送られる（処理工程Ｐ１４）。したがって、インタフェースユニットＩＦ１から、インタフェースユニットＩＦ２への切替え要求がＡＤＭユニット１０に送られる（処理工程Ｐ１５）。
【００５５】
これにより、ＡＤＭユニット１０では、インタフェースユニットＩＦ１からインタフェースユニットＩＦ２への切替えが実行される（Ａ５）。
【００５６】
上記説明は、１：１冗長構成での切替動作であるが、１：Ｎ冗長構成においても基本的構成は同じである。ただし、現用側のインタフェースユニットが複数個存在するために一部動作が異なる。
【００５７】
すなわち、全てのインタフェースユニットＩＦ１〜ＩＦｎで情報を共有することが必要である。このために、切替コントローラ２１において、相手側のインタフェースユニットの切替コントローラ２１に単に情報をブリッジするのみではなく、一旦全情報を蓄積して、順番に自分以外の全てのインタフェースユニットに情報を送る必要がある。
【００５８】
さらに、ＡＤＭユニット１０側の優先回路１３においては、予備用のインタフェースユニットが最下位の優先度となるように、複数のインタフェースユニットに対し順次に優先度を設定する。これにより図９に示したと同様に切替え動作を行うことができる。
【００５９】
さらに、ＢＬＳＲ構成においては、切替ユニット１１及び方路選択回路１２により、信号のブリッジ或いは折り返し制御により保護が行われる点を除き、上記の１：１冗長構成に対する切替え制御と同様である。
【００６０】
（付記１）
それぞれ光伝送路を収容する現用／予備用の一対のインタフェースユニットと、
前記一対のインタフェースユニットから出力される光信号の何れかを選択して出力する分岐挿入ユニットを有し、
さらに、前記一対のインタフェースユニットのそれぞれは、切替コントローラを備え、且つ前記一対のインタフェースユニット間は、前記切替コントローラ間で状態情報を共有するための通信パスを通して接続され、
前記一対のインタフェースユニットの現用側のインタフェースユニットに障害を生じた際に、切替え対象である予備側のインタフェースユニットに前記通信パスを通して障害を通知し、前記予備側のインタフェースユニットから前記分岐挿入ユニットに切替え要求を送る
ことを特徴とする光伝送装置。
【００６１】
（付記２）付記１において、
前記分岐挿入ユニットは、前記現用／予備の一対のインタフェースユニットの何れか一方の出力を有効とするセレクタであることを特徴とする光伝送装置。
【００６２】
（付記３）付記２において、
さらに前記分岐挿入ユニットは前記一対のインタフェースユニットの現用側のインタフェースユニットの出力を優先に設定する優先回路を有し、
前記現用／予備用の一対のインタフェースユニットの双方から切替え要求が送られる時、前記優先に設定された現用側のインタフェースユニットからの切替え要求を有効とすることを特徴とする光伝送装置。
【００６３】
（付記４）
複数（ｎ＋１）の光伝送路のそれぞれを収容する（ｎ＋１）個のインタフェースユニットと、
前記（ｎ＋１）個のインタフェースユニットの内のｎ個の現用のインタフェースユニットから出力される光信号を出力する分岐挿入ユニットを有し、
さらに、前記（ｎ＋１）個のインタフェースユニットの各々は、切替コントローラを備え、且つ前記（ｎ＋１）個のインタフェースユニットは、前記切替コントローラ間で状態情報を共有するための通信パスを通して接続され、
前記（ｎ＋１）個のインタフェースユニットの内の現用のインタフェースユニットに障害を生じた際に、切替え対象とする予備用の一のインタフェースユニットに前記通信パスを通して障害を通知し、前記予備用の一のインタフェースユニットから前記分岐挿入ユニットに切替え要求を送る
ことを特徴とする光伝送装置。
【００６４】
（付記５）付記４において、
前記分岐挿入ユニットは、前記障害を生じた現用側のインタフェースユニットの出力に代えて、切替対象とする予備用の一のインタフェースユニットの出力を有効とするセレクタであることを特徴とする光伝送装置。
【００６５】
（付記６）付記５において、
さらに前記分岐挿入ユニットは、前記（ｎ＋１）個のインタフェースユニットの予備用となるインタフェースユニットの出力の優先度を最下位にし、他の現用のｎ個のインタフェースユニットの出力を順次優先度を付けて設定する優先回路を有し、
前記優先回路に設定された優先度の順に、インタフェースユニットからの切替要求に対し、前記予備用となるインタフェースユニットの出力へ切り替えを有効とすることを特徴とする光伝送装置。
【００６６】
（付記７）
それぞれリング状の光伝送路を収容する一対のインタフェースユニットと、
前記一対のインタフェースユニットの一方から出力される光信号を他方に折り返し、又は他方にブリッジする切替ユニットを前記一対のインタフェースユニット対応して備えた分岐挿入ユニットを有し、
さらに、前記一対のインタフェースユニットのそれぞれは、切替コントローラを備え、且つ前記一対のインタフェースユニット間は、前記切替コントローラ間で状態情報を共有するための通信パスを通して接続され、
前記一対のインタフェースユニットの一方側のインタフェースユニットに障害を生じた際に、切替え対象である他方側のインタフェースユニットに前記通信パスを通して障害を通知し、更に前記他方のインタフェースユニットに折り返し、又はブリッジする切替え要求を前記分岐挿入ユニットに送る
ことを特徴とする光伝送装置。
【００６７】
【発明の効果】
上記に図面に従い実施の形態を説明したように、本発明により切替コントローラを集中して備える必要がないので、共通部スペースを大きくすることなく切替、性能を担保することが可能である。
【図面の簡単な説明】
【図１】現用／予備を１：１で切替を行う光伝送路の切替え制御を採用する光伝送装置の構成例である。
【図２】現用／予備を１：Ｎで切替えを行う光伝送路の切替え制御を採用する光伝送装置の構成例である。
【図３】リング状の伝送路に配置された、従来構成のＢＬＳＲ切替え構成を示す。
【図４】図１の１：１冗長構成に対応し、本発明を適用する実施の形態例である。
【図５】図２の１：Ｎ冗長構成に対応し、本発明を適用する実施の形態例である。
【図６】図３のＢＬＳＲ構成に対応する本発明を適用する発明の実施の形態例である。
【図７】図４〜図６の本発明に従う実施の形態例を実現する詳細構成例を示すブロック図である。
【図８】図７の詳細構成を簡略して示す図である。
【図９】図７（図８）の動作フローを示す図である。
【図１０】本発明を実現するための制御信号構成を示す図である。以下にこれらを参照して本発明の切替え動作を説明する。
【符号の説明】
ＩＦ１〜ＩＦｎ  インタフェースユニット
１０  ＡＤＭユニット
１１  切替ユニット
１３  優先回路
２０  装置監視制御部
２１  切替コントローラ
【図１】
0003910085.tif 000002
【図２】
0003910085.tif 000003
【図３】
0003910085.tif 000004
【図４】
0003910085.tif 000005
【図５】
0003910085.tif 000006
【図６】
0003910085.tif 000007
【図７】
0003910085.tif 000008
【図８】
0003910085.tif 000009
【図９】
0003910085.tif 000010
【図１０】
0003910085.tif 000011